(57)【特許請求の範囲】
【請求項１】
建物の壁から突出する軒天井と、軒天井の先端から上方に向かって突出する縦部材と、縦部材の外面及び軒天井の先端側の下面を被覆する出隅材とを有する建物の突出部に用いられる排水通気部材であって、縦部材の外面に取着される固定片と、固定片に延設され軒天井の下側に配置される傾斜片とで本体部材を形成し、本体部材とは別体でスペーサを形成し、傾斜片に段部を設けると共にスペーサを段部の上面に設け、傾斜片の傾斜方向と略平行にスペーサを貫通する排水孔を設けて成ることを特徴とする排水通気部材。
【請求項２】
段部の底面を水平に形成して成ることを特徴とする請求項１に記載の排水通気部材。
【請求項３】
請求項１又は２に記載の排水通気部材の取付構造であって、縦部材の外面に固定片を取着すると共に傾斜片を軒天井の下側に配置し、スペーサの上面を軒天井の下面に当接して成ることを特徴とする排水通気部材の取付構造。
【発明の詳細な説明】
【技術分野】
【０００１】
本発明は、建物の壁から突出するベランダなどの突出部に適用される排水通気部材に関するものである。
【背景技術】
【０００２】
図５（ａ）にベランダなどの突出部４の構造を示す（特許文献１参照）。この突出部４では、躯体５０の外側（屋外側）を防水紙５１で覆うと共に防水紙５１の外面に縦胴縁などの縦方向に細長い縦部材２を配置している。また、躯体５０の下側には桟材５２を介して軒天材５３を設けている。また、縦部材２の下側で桟材５２及び軒天材５３の外側には横胴縁５４が設けられている。横胴縁５４は突出部４の横方向（図面の紙面に対して直交する方向）の全長に亘って設けられている。縦部材２の下部と横胴縁５４及び軒天材５３の屋外側端部からなる角部５７の外面は断面略Ｌ字状の出隅材５５で被覆されている。この出隅材５５はオーバハング部材５６で上記角部５７に取り付けられている。
【０００３】
図５（ｂ）に示すように、オーバハング部材５６は横方向に長尺に形成されており、基板部５８と折曲がり部５９と支承部６０及び背面部６１とを備えて構成されている。基板部５８は平板状に形成されており、その下端に平板状の折曲がり部５９が延設されている。折曲がり部５９は基板部５８から反対側に向って下り傾斜している。支承部６０は断面略Ｌ字状であって、折曲がり部５９の先端から下方に突出している。また、背面部６１は断面略逆Ｌ字状であって、折曲がり部５９の先端から上方に突出している。さらに、基板部５８の背面部６１と対向する側の面にはスペーサ６２が設けられている。スペーサ６２は基板部５８の全長に亘る平板で形成されるものであって、スペーサ６２を上下方向に貫通する多数個の排水孔６３が設けられている。
【０００４】
そして、オーバハング部材５６を上記角部５７に取り付けるにあたっては、スペーサ６２を縦部材２及び横胴縁５４の外面に当接すると共に折曲がり部５９と支承部６０及び背面部６１を横胴縁５４及び軒天材５３の下側に配置し、この後、基板部５８とスペーサ６２を貫通するように釘６３を横胴縁５４及び桟材５２に打ち込むことによって、オーバハング部材５６を上記角部５７に取り付けることができる。また、出隅材５５を上記角部５７に取り付けるにあたっては、折曲がり部５９と支承部６０の間に出隅材５５の横片５５ａを差し込むと共に出隅材５５の縦片５５ｂを基板部５８の外面に当接し、縦片５５ｂと基板部５８とスペーサ６２を貫通するように釘６４を横胴縁５４に打ち込むことによって、出隅材５５を上記角部５７に取り付けることができる。また、上記のように取り付けられた出隅材５５の上側には、外壁材４９や外壁材半体６５を釘６６の打ち込みや金具６７の係止により取り付ける。ここで、出隅材５５の縦片５５ｂの上端と外壁材半体６５の下端との間の隙間にはコーキング材６８が充填されている。
【０００５】
このような突出部４において、隣接する外壁材４９、４９の間の隙間から雨水などの水が外壁材４９の裏面側（縦部材２側）に浸入することがあるが、この場合、水はスペーサ６２の排水孔６３及び折曲がり部５９を通って流れ（図５（ｂ）に水の流れを矢印で示す）、背面部６１の基部に設けた排出穴６９を通じて排水されるものであり、これにより、縦部材２や横胴縁５４あるいは軒天材５３に水が及ばないようにして腐食等を少なくしている。
【０００６】
しかし、上記のオーバハング部材５６では、金属板等を折り曲げ加工して支承部６０及び背面部６１を形成したり金属板等への穿孔加工により排水穴６９を形成したりしなければならず、製造に手間がかかるという問題があった。また、排水穴６９が外から見えて外観が低くなると共に排水穴６９が小さくて少ないため目詰まりが発生し、排水性能の低下が起こりやすいという問題があった。
【特許文献１】特許第３３９１３４０号公報
【発明の開示】
【発明が解決しようとする課題】
【０００７】
本発明は上記の点に鑑みてなされたものであり、製造が容易で外観や排水性能の低下が起こりにくい排水通気部材及びその取付構造を提供することを目的とするものである。
【課題を解決するための手段】
【０００８】
本発明は、建物の壁から突出する軒天井１と、軒天井１の先端から上方に向かって突出する縦部材２と、縦部材２の外面及び軒天井１の先端側の下面を被覆する出隅材３とを有する建物の突出部４に用いられる排水通気部材Ａであって、縦部材２の外面に取着される固定片５と、固定片５に延設され軒天井１の下側に配置される傾斜片６とで本体部材７を形成し、本体部材７とは別体でスペーサ８を形成し、傾斜片６に段部９を設けると共にスペーサ８を段部９の上面に設け、傾斜片６の傾斜方向と略平行にスペーサ８を貫通する排水孔１０を設けて成ることを特徴とするものである。
【０００９】
本発明において、段部９の上面を水平に形成するのが好ましい。
【００１０】
本発明の排水通気部材Ａの取付構造は、請求項１又は２に記載の排水通気部材Ａの取付構造であって、縦部材２の外面に固定片５を取着すると共に傾斜片６を軒天井１の下側に配置し、スペーサ８の上面を軒天井１の下面に当接して成ることを特徴とするものである。
【発明の効果】
【００１１】
本発明では、傾斜片６と軒天井１との間にスペーサ８を配置し、このスペーサ８に設けた排水孔１０を通じて排水するので、本体部材７への折り曲げ加工を少なくし、穿孔加工を無くすことができ、製造を容易にすることができるものである。また、スペーサ８を外部から見にくくすることができ、外観の低下を防止することができるものであり、このため、排水口１０を大きく形成して目詰まりを無くし、排水性能の低下を防止することができるものである。
【発明を実施するための最良の形態】
【００１２】
以下、本発明を実施するための最良の形態を説明する。
【００１３】
図２（ａ）（ｂ）に本発明の排水通気部材Ａの一例を示す。排水通気部材Ａは本体部材７とスペーサ８とを備えて横方向に長尺に形成されている。
【００１４】
本体部材７は金属板を折り曲げ加工して形成することができる。この金属板としては厚み０．３５ｍｍ程度で塗装鋼板やアルミニウム亜鉛合金めっき鋼板などを用いることができるが、これに限られず、従来から建材を作製するのに用いられている金属板を使用することができる。本体部材７は、固定片５と傾斜片６及び覆い片１５とを備えて形成されている。傾斜片６は水平に対して後端側が下がるように下り傾斜するものであり、その途中には垂直部９ａと水平部９ｂとからなる段部９が横方向の全長に亘って設けられている。段部９の上面である水平部９ｂは水平に形成されている。また、段部９により傾斜片６は垂直部９ａよりも上側の上傾斜部６ａと、水平部９ｂよりも下側の下傾斜部６ｂとに分けられている。固定片５は傾斜片６の前端から略鉛直上向きに突出されており、固定片５の前面上端には防水テープ１６が排水通気部材Ａの横方向の全長に亘って設けられている。覆い片１５は傾斜片６の後端から略鉛直下向きに突出されており、その下端は前面に折り返されている。
【００１５】
スペーサ８はポリプロピレン樹脂などのプラスチック材料の成形品であって、横方向の寸法は本体部材７の横方向の寸法とほぼ同じであり、前後方向の寸法は段部９の上面（水平面）とほぼ同じ寸法である。また、スペーサ８にはその前後方向に貫通する多数個の排水孔１０が横方向の全長に亘って並べて設けられている。そして、スペーサ８を水平部９ｂの上に載せると共にスペーサ８の前面を垂直面９ａに当接し、この状態で本体部材７にスペーサ８を接着するなどして固定することによって、本発明の排水通気部材Ａを形成することができる。ここで、排水孔１０の前側開口の上部は上傾斜部６ａに臨んでおり、排水孔１０の後側開口は下傾斜部６ｂに臨んでいる。
【００１６】
そして、本発明の排水通気部材Ａは以下のようにして取り付ける。まず、図１に示すように、ベランダ等の突出部４を構成する軒天井１は、建物の外壁から屋外側に水平に突出するように公知の軒天材１ａを配置するようにして形成されている。軒天井１の先端部（屋外側端部）は横方向（水平方向）に長い横構造材２０の下面に釘やビスなどで固定されている。また、軒天井１の先端面（屋外側端面）から上方に向かって突出する複数本の縦部材（縦胴縁）２が設けられている。この複数本の縦部材２は所定の間隔を介して横方向に並べられて横構造材２０に釘やビスなどで固定されている。さらに、縦部材２の屋内側には透湿防水シート２７が設けられている。
【００１７】
次に、縦部材２の外面（屋外側面）に排水通気部材Ａの固定片５の後面（屋内側面）を当接すると共に傾斜片６を縦部材２及び軒天井１の下側に配置し、固定片５を釘やビスなどの固定具２１で縦部材２及び横構造材２０に固定する。このとき、スペーサ８の上面は水平に形成されており、且つスペーサ８は段部９の水平部９ｂに載置されているために、スペーサ８は軒天井１の水平な下面に隙間なく密着させることができる。
【００１８】
次に、固定片５の外面側（屋外側）にジョイナー２３を配設する。ジョイナー２３は排水通気部材Ａと同様に横方向に長尺な部材であって、平板状の基板２４と、基板２４の外面（屋外側面）に略垂直に突出する突出片２５と、突出片２５の先端に設けた台座片２６とから構成されている。上記固定具２１の頭部は基板２４で覆われると共に固定片５に設けた防水テープ１６は外壁材４９の裏面（屋内側面）に密着している。これにより、外壁材４９の裏面と固定片５の上部との隙間を防水テープ１６で閉塞することができ、水が外壁材４９の裏面を伝って出隅材３の木口まで達することもなく、防水性を高くすることができるものである。
【００１９】
次に、図３に示すように、縦部材２の下部の外面及び軒天井１の先端側の下面を被覆する出隅材３を配設する。出隅材３は横片３ａと縦片３ｂとで断面略Ｌ字状で横方向に長尺に形成されており、例えば、セメントを主成分とする窯業系材料で形成することができる。また、出隅材３は釘やビスなどで縦部材２に固定される。そして、横片３ａは、縦部材２に固定した排水通気部材Ａの傾斜片６よりも下側に位置し、横片３ａの木口（屋内側端面）は覆い片１５で覆われることになる。また、縦片３ｂは固定片５の外側（屋外側）に位置し、縦片３ｂの上端面は突出片２５及び台座片２６の下側に位置している。
【００２０】
次に、ジョイナー２３の突出片２５及び台座片２６の上側に平板状の外壁材４９を配置する。次に、台座片２６の外側において、出隅部３の縦片３ｂの上端面と外壁材４９の下端面との隙間にコーキング材６８を充填する。このようにして、図１に示すように、排水通気部材Ａを取り付けると共に突出部４の外装を行うことができる。
【００２１】
そして、本発明の排水通気部材Ａでは、突出部４の施工と同時あるいは施工後に外壁材４９の裏面側に浸入した雨水などの水を外壁材４９の裏面から固定片５、上傾斜部６ａ、排水孔１０、下傾斜部６ｂ、覆い片１５の順に流動させて排水することができ、外壁材４９の裏面側に浸入した水で凍害などの問題を引き起こすのを防止できる。これは特に寒冷地域で有効である。
【００２２】
また、スペーサ８は軒天井１と傾斜片６の間に配設されるために、外部から見えにくくなり、外観を向上させることができる。しかも、出隅材３の木口を隠すためだけの覆い片１５を設けたので、外観をすっきり仕上げることができる。また、本体部材７に排水用の孔を形成しないので、玄関等に用いても外観を損なわないようにすることができる。さらに、スペーサ８を鼠などの小動物の侵入を防止する防鼠部材として作用させることができると共に、排水孔１０を通じて通気経路として用いて、外壁材４９及び出隅材３と透湿防水シート２７との間に形成される空間と軒天井１の下側の空間とを連通させて換気を行うことができるものである。
【００２３】
さらに、段部９を設けることによって、上傾斜部６ａから下傾斜部６ｂへとスムーズに水を流すことができ、一部の水がスペーサ８周辺に残留するのを少なくすることができる。すなわち、段部９がないとスペーサ８の肉厚分だけ傾斜片６の上面に段差ができてこの部分に水が残留することになるが、本発明では上傾斜部６ａと下傾斜部６ｂとに排水孔１０の開口が直接臨んでいるために、スペーサ８の肉厚で水が残留することはない。
【００２４】
図４に本発明の排水通気部材Ａの他例を示す。この排水通気部材Ａは段部９の上面を水平面とせず、下傾斜部６ｂと同傾斜の傾斜面として形成した以外は、上記図２（ａ）（ｂ）に示すものと同様に形成することができる。
【図面の簡単な説明】
【００２５】
【図１】本発明の排水通気部材の取付構造の実施の形態の一例を示す断面図である。
【図２】同上の排水通気部材の実施の形態の一例を示し、（ａ）（ｂ）は一部の斜視図である。
【図３】同上の一部が破断した斜視図である。
【図４】同上の排水通気部材の他の実施の形態の一例を示し、（ａ）は一部を省略した正面図、（ｂ）は一部を省略した底面図、（ｃ）は断面図である。
【図５】（ａ）は従来例のオーバハング部材の取付構造を示す断面図、（ｂ）は従来例のオーバハング部材の一部を示す斜視図である。
【符号の説明】
【００２６】
１  軒天井
２  縦部材
３  出隅材
４  突出部
５  固定片
６  傾斜片
７  本体部材
８  スペーサ
９  段部
１０  排水孔
Ａ  排水通気部材
【図１】
0004436328.tif 000002
【図２】
0004436328.tif 000003
【図３】
0004436328.tif 000004
【図４】
0004436328.tif 000005
【図５】
0004436328.tif 000006